(57)【要約】【課題】瓦の固定強度、防水性に優れ、瓦の種類にとらわれることなく使用できる瓦押え金具を提供する。【解決手段】瓦押え用金具１は、土台板５、補強板６、柱板７、押え板８屈曲部９から構成された金具部２と、締結体３と、パッキン４から構成され、下に位置する瓦の挿通孔に締結体３を用いて瓦桟木に固着させることによって、上に位置する瓦の軒先部に柱板７と押え板８を密着させ、補強板６にて土台部５を補強すると共に、土台板５と補強板６によって下に位置する瓦を固定し、挿通孔を土台板５と補強板６によって圧縮されたパッキン４がシールする。【選択図】　図１
2004084425.tif 000002
【特許請求の範囲】
【請求項１】
長方形の金属板から成り、その平面部に第１の貫通穴を設けた土台板と、この土台板の長辺または短辺の内の一辺が適宜空間をあけて土台板に重なり状に折り曲げられ、前記土台板の第１の貫通穴と平面視でほぼ一致する位置に第２の貫通穴を設けた長方形の補強板と前記土台板の残るひとつの短辺から補強板の位置する側へほぼ９０度折り曲げられて延設された柱板と、前記柱板の終端から前記土台板の側へ土台板とほぼ平行に延設する押え板を設けたことを特徴とする瓦押え金具。
【請求項２】
土台板と補強板の長辺方向の中間部において、柱板側がやや突出するように「へ」の字型に曲げられたことを特徴とする請求項１に記載の瓦押え金具。
【請求項３】
平面視において補強板の柱板側終端は押え板の終端と重なり合う長さを有することを特徴とする請求項１と２に記載の瓦押え金具。
【請求項４】
釘やねじ等の締結体を請求項１から３の瓦押え金具の第１と第２の貫通穴を通じて瓦にあけられた貫通穴に挿通して瓦下地に緊結させた後前記あわら押え金具の補強板と柱板と押え板で構成する「コ」の字状の隙間に、上に位置する瓦の軒先側側隅部を嵌合させて上に位置する瓦を固定することを特徴とする瓦施工方法。
【発明の詳細な説明】
【０００１】
【発明の属する技術分野】
この発明は、屋根に葺設する瓦を固定するための瓦押え金具と、この瓦押え金具を用いた瓦止めの施工方法に関する。
【０００２】
【従来の技術】
屋根に葺設する瓦を固定する瓦止めの施工には、幾つかの釘やネジ、瓦止め金具等が用いられている。
【０００３】
従来の瓦止め金具としては、金属板を折り曲げて加工成形された瓦押え金具を下に位置する瓦に止めつけ、上に位置する瓦に係止する金具などがある。
【０００４】
このような金具として、従来より特開平７−１１７３９公報に示すものが知られている。この瓦押え金具３０は図４に示すように互いに重合する屋根瓦間に介装される基板部３１と屋根瓦の軒先側端をその裏面から掛止するフック部３２とを一体に備え、軸部３３の一端に頭部３４をに設けてなる打ち込み部材の軸部３３が基板部３１に設けた通孔３５に回転自在に挿通されて、下部に位置する瓦に打ち込まれ、フック部が上部に位置する瓦に係止される。
【０００５】
またこのような金具として、従来より特開２００２−４５０６公報に示すものが知られている。この押え金具４０は図５Ａ、Ｂに示すように瓦の挿通孔４１の形成位置を支点として金具の有効長さを自由に設定できるので、上部に位置する瓦４２、４２´と下部に位置する瓦４３、４３´との重なり度合いを調整して瓦が敷設できるという利点がある。
【０００６】
更にこのような金具として、従来より特開２００１−１２３５８５公報に示すものが知られている。この押え金具５０は図６に示すように、金具５０の土台板５１と、土台板５１から反転し空間をもって重なり、土台板５１と略平行に延設した補強板５２と押え板５３を備え、この押え金具５０は、下部に位置する瓦５６に上記補強板５２が締結体５４の頭部５５と土台板５１の間で一部湾曲した形で締結され、押え板５３が上部に位置する瓦５７の下部突条５８の長い辺に横側から係止されるため、締結体５４に対してバネ効果を発揮し経年変化による締結体５４の緩みを防止できるという利点がある。
【０００７】
【発明が解決しようとする課題】
しかしながら、このような瓦止め金具においては、様々な種類や形状の瓦に万能に使用出来るというわけではなく、これら様々な種類や形状の瓦に対してそれぞれに固有の瓦止め金具を使用しなくてはいけないという問題がある。
【０００８】
また、たとえ同じ瓦であったとしても、瓦が焼き物であるために、重なり度合いを調節しても、高さや幅、厚さにもバラツキがあり、固有の瓦止め金具を使用しても高さや幅、厚さといったバラツキの変化に対応することができない、あるいはそれによって瓦がきちんと葺設できなくなるという問題もある。
【０００９】
更に、このような瓦止め金具において瓦の下部突条部の長い辺に横側から係止する金具では、風等で、締結体を中心として金具に回転する力がかかった場合、金具係止部が下部突条部よりはずれてしまい瓦を確実に締結することが出来ないという問題もある。
【００１０】
【課題を解決するための手段】
上記のような課題を解決するため、請求項１の発明は、長方形の金属板から成り、その平面部に第１の貫通穴を設けた土台板と、この土台板の長辺または短辺の内の一辺が適宜空間をあけて土台板に重なり状に折り曲げられ、前記土台板の第１の貫通穴と平面視でほぼ一致する位置に第２の貫通穴を設けた長方形の補強板と前記土台板の残るひとつの短辺から補強板の位置する側へほぼ９０度折り曲げられて延設された柱板と、前記柱板の終端から前記土台板の側へ土台板とほぼ平行に延設する押え板を設けた構成を採用したものである。
【００１１】
請求項２の発明は、土台板と補強板の長辺方向の中間部において、柱板側がやや突出するように「へ」の字型に曲げられたことを特徴とする請求項１に記載の構成を採用したものである。
【００１２】
請求項３の発明は、平面視において補強板の柱板側終端は押え板の終端と重なり合う長さを有することを特徴とする請求項１と２に記載の構成を採用したものである。
【００１３】
請求項４の発明は、釘やねじ等の締結体を請求項１から３の瓦押え金具の第１と第２の貫通穴を通じて瓦にあけられた貫通穴に挿通して瓦下地に緊結させた後前記押え金具の補強板と柱板と押え板で構成する「コ」の字状の隙間に、上に位置する瓦の軒先側側隅部を嵌合させて上に位置する瓦を固定することを特徴とする瓦止め施工方法である。
【００１４】
ここで、土台板、補強板、柱板、押え板からなる金具部はステンレス等の金属板を用いて成形され、補強板が締結体によって土台板に圧着することにより、柱板の高さが変わるようになっている。
【００１５】
【発明の実施の形態】
以下、この発明の実施の形態を図示例と共に説明する。
【００１６】
図１に示すように、瓦押え金具１は、長方形の金属板から成り、その平面部に第１の貫通穴１０を設けた土台板５と、この土台板５の長辺または短辺の内の一辺が適宜空間をあけて土台板に重なり状に折り曲げられ、前記土台板５の第１の貫通穴１０と平面視でほぼ一致する位置に第２の貫通穴１０´を設けた長方形の補強板６と、前記土台板５の残るひとつの短辺から補強板６の位置する側へほぼ９０度折り曲げられて延設された柱板７と、前記柱板７の終端から前記土台板５の側へ土台板５とほぼ平行に延設する押え板８とからなり、土台板５と補強板６の長辺方向の中間部において、柱板７側がやや突出するように「へ」の字型に曲げられた屈曲部９´を設け、平面視において前記補強板６の柱板側終端は前記押え板８の終端と重なり合う長さを有している部分を持つ金具部２と、前記補強板６の前記第２の貫通穴１０´から、前記土台板５の前記第１の貫通穴１０にわたって上下に貫通する釘やネジ等の締結体３と、前記金具部２の下部位置で、前記締結体３に嵌挿されたパッキン４から構成されている。
【００１７】
上記金具部２は、１枚のステンレス等の金属板を順次曲げて加工にて成形され、補強板６には補強板６が締結体３によって土台板５と圧着された時、土台板５に設けた第１の貫通穴１０と一致するように第２の貫通穴１０´を設けてある。
【００１８】
上記締結体３は図１（Ａ）の場合、釘３ａを用い、図１（Ｂ）は釘３ｂを用いた例を示している。
【００１９】
次に、上記瓦押え金具１による瓦止め施工方法を図２と図３を用いて説明する。
【００２０】
図２のように瓦２１は平面短形状で、一方側部に重ね合わせ用下部突条２２と、他方側部に重ね合わせ用の上部突条２３とが設けられ、瓦２１、２１´の棟側に位置される端部には締結体３の挿通孔２４が設けられ下側瓦２１´の棟側と上側瓦２１の軒先側の上下に重なる部分が瓦桟木２５で支持され、締結体３は挿通孔２４から瓦桟木２５に打ち込まれることになる。
【００２１】
下地瓦２１´を桟木２５に固定するには、まず図３Ａの如く、下側瓦２１´に設けた挿通孔２４の直上位置に、柱板７を上側瓦２１の下部突条２２の前面に、そして押え板８を上側瓦２１の下部突条２２の上面に接する様に置いた後、図３（Ｂ）の如く電動工具やねじ回し、または締結体３が釘の場合は金槌を使用して瓦桟木２５に打ち込んでいく。
【００２２】
そして土台板５と補強板６によって下側瓦２１´が固定されると共に、パッキン４は圧縮されて、パッキン４の一部は挿通孔２４の内部に食い込んでいき、挿通孔２４を密封シールすることになり確実な防水が得られる。
【００２３】
そして柱板７が上側瓦２１の下部突条２２の前面に密着する様に、また押え板８が上側瓦２１の下部突条２２の上面に密着する様に上側瓦を葺いていく。
このような作業を各瓦毎に繰り返していけば屋根に瓦を葺くことができる。
【００２４】
【発明の効果】
以上のようにこの発明によると、長方形の金属板から成り、その平面部に第１の貫通穴を設けた土台板と、この土台板の長辺または短辺の内の一辺が適宜空間をあけて土台板に重なり状に折り曲げられ、前記土台板の第１の貫通穴と平面視でほぼ一致する位置に第２の貫通穴を設けた長方形の補強板と前記土台板の残るひとつの短辺から補強板の位置する側へほぼ９０度折り曲げられて延設された柱板と、前記柱板の終端から前記土台板の側へ土台板とほぼ平行に延設する押え板を設けたことを特徴とし、あるいは、土台板と補強板の長辺方向の中間部において、柱板側がやや突出するように「へ」の字型に曲げられたことを特徴とし、または、平面視において補強板の柱板側終端は押え板の終端と重なり合う長さを有することを特徴とした、金具部と、前記補強板の前記第２の貫通穴から、前記土台板の前記第１の貫通穴にわたって上下に貫通する釘やネジ等の締結体と、前記金具部の下部位置で、前記締結体に嵌挿されたパッキンの採用によって、瓦の重ね部を破壊することなく、瓦の重ね部に隙間を生じることなく、瓦の固定強度を大幅に向上させることが出来る。
【００２５】
そして、金具部の、前記土台板の残るひとつの短辺から補強板の位置する側へほぼ９０度折り曲げられて延設された柱板と、前記柱板の終端から前記土台板の側へ土台板とほぼ平行に延設する押え板とが、上側に位置する瓦の軒先側側隅部に確実に密着され、瓦上側に位置する瓦を軒先側からも固着することができる。
【００２６】
あるいは、土台板と補強板の長辺方向の中間部において、柱板側がやや突出するように「へ」の字型に曲げられた構成を採用すれば、下側に位置する瓦の挿通孔の盛り上がり部分の高さにとらわれることなく、この金具を使用することが出来る。
【００２７】
または、平面視において補強板の柱板側終端は押え板の終端と重なり合う長さを有する部分が上下することから、上側に位置する瓦の軒先側側隅部の幅、厚さにとらわれることなく、この金具を使用することが出来る。
【００２８】
さらにこの金具の押え板は、瓦の下部突条部の短い辺に下側から密着する構造のため、風等で、締結体を中心として金具に回転する力がかかっても、瓦の下部突条部には雨水等が流れる際に溢れないようにするための段差が設けられており、この段差に当たることで押え板が非常にはずれにくくなっており、台風や地震などによりかかる瓦の瓦がずれようとする力に対して、瓦の固定強度を大幅に向上させることが出来る。
【００２９】
また、金具部の第１第２の貫通穴を図１、２のような形にすることにより、下側に位置する瓦の挿通孔の位置及び、上側に位置する瓦の軒先側の位置にとらわれることなく、あらゆる形状の瓦において、この金具を使用することが出来、かつ第１第２締結体貫通穴と釘やネジ等の締結体との密着部分に台風や地震などによりかかる、瓦がずれようとする力が逃げ、瓦の固定強度を大幅に向上させることが出来る。
【図面の簡単な説明】
【図１】（Ａ）は瓦押え用金具の第１の例を示す縦断正面図、（Ｂ）は瓦押え用金具の第２の例を示す斜視図
【図２】瓦押え用金具と瓦の関係を示す斜視図
【図３】（Ａ）は瓦押え用金具を用いた瓦止め施工方法を示す初期工程の縦断正面図
（Ｂ）は瓦押え用金具を用いた瓦止め施工方法を示す締結状態の縦断正面図
【図４】従来の瓦押え用金具の正面図
【図５】（Ａ）は従来の瓦押え用金具を用いた瓦止め施工方法の平面拡大説明図
（Ｂ）は従来の瓦押え用金具を用いた瓦止め施工方法の平面拡大説明図
【図６】従来の瓦押え用金具とこの金具を用いた瓦止め施工方法の斜視拡大説明図
【符号の説明】
１　瓦押え金具
２　金具部
３　締結体
４　パッキン
５　土台板
６　補強板
７　柱板
８　押え板
９　屈曲部
１０穴
２１瓦
２２下部突条
２３上部突条
２４挿通孔
２５瓦桟木
３０従来の瓦押え金具
３１基板部
３２フック部
３３軸部
３４頭部
３５通孔
４０従来の瓦押え金具
４１挿通孔
４２上部瓦
４３下部瓦
５０従来の瓦押え金具
５１土台板
５２補強板
５３押え板
５４締結体
５５頭部
５６下部瓦
５７上部瓦
５８下部突条
【図１】
2004084425.tif 000003
【図２】
2004084425.tif 000004
【図３】
2004084425.tif 000005
【図４】
2004084425.tif 000006
【図５】
2004084425.tif 000007
【図６】
2004084425.tif 000008